(57)【要約】【課題】外気中に含まれる埃、油煙等が筐体の内部に吸入されにくい加熱調理器を提供する。【解決手段】加熱調理器１は、筐体２を備え、外気を通過させて該筐体２の内部を冷却することが可能である。加熱調理器１は、外気が吸入される吸気口８と、該吸気口８を覆い、外気の通過方向に並設された複数のフィルタとを備える。外気が吸入される吸気口８に複数のフィルタを設けることにより、外気中に含まれる埃や油煙への濾過効果を向上させることができる。よって、外気中に含まれる埃、油煙等が筐体の内部に吸入されにくくなる。【選択図】図１
2017207260.tif 000002
【特許請求の範囲】
【請求項１】
筐体を備え、外気を通過させて該筐体の内部を冷却することが可能な加熱調理器において、
前記外気が吸入される吸気口と、
該吸気口を覆い、前記外気の通過方向に並設された複数のフィルタと
を備えることを特徴とする加熱調理器。
【請求項２】
前記複数のフィルタは網体であり、前記外気の通過方向の上流側に設けられたフィルタの網目は、下流側に設けられたフィルタの網目より粗いことを特徴とする請求項１に記載の加熱調理器。
【請求項３】
前記フィルタの前記吸気口への装着を検知する検知部を備えることを特徴とする請求項１又は２に記載の加熱調理器。
【請求項４】
前記複数のフィルタのうち、少なくとも１つのフィルタの網目の形状は、他のフィルタの網目の形状と異なることを特徴とする請求項１から３のいずれか一つに記載の加熱調理器。
【請求項５】
筐体を備え、外気を通過させて該筐体の内部を冷却することが可能な加熱調理器において、
前記外気が吸入される吸気口と、
該吸気口を覆い、前記外気が通過するフィルタと、
前記吸気口の内側に着脱可能に取り付けられる迷路型トラップと
を備えることを特徴とする加熱調理器。
【請求項６】
前記迷路型トラップは、少なくとも一側が開口とされたトレー状をなし、底板に迷路を形成する仕切り板が立設されていることを特徴とする請求項５に記載の加熱調理器。
【請求項７】
前記迷路型トラップは、前記フィルタと一体化されていることを特徴とする請求項５又は６に記載の加熱調理器。
【発明の詳細な説明】
【技術分野】
【０００１】
本発明は、外気を通過させて内部を冷却することが可能な加熱調理器に関する。
【背景技術】
【０００２】
従来、電子レンジ等の加熱調理器は筐体を備える。筐体の内部は、被加熱物を収納して加熱調理する加熱庫と、加熱調理器を動作させるための機器が設けられた機器室とに分けられている。このような加熱調理器では、機器の過熱を防止するために外気を吸入して機器室等の内部（以下、「筐体の内部」と記す）を冷却するものがある。
【０００３】
例えば、特許文献１には、筐体の後部に冷却ファンを設け、筐体の前面下部に吸気口を設けた加熱調理器が開示されている。冷却ファンにより、吸気口から外気を吸引して、冷却風を形成し、機器室内を通して排出することにより、機器室内部を冷却している。
【先行技術文献】
【特許文献】
【０００４】
【特許文献１】特開２００６−３４９１９７号公報
【発明の概要】
【発明が解決しようとする課題】
【０００５】
しかしながら、特許文献１の加熱調理器においては、吸気口から吸入された外気中に含まれる埃、油煙等が機器室内の機器又は機器室の壁面に付着し、機器の故障の原因となり、また壁面の清掃を強いられるという問題がある。
【０００６】
特許文献１に記載の加熱調理器は、吸気口を覆う吸気フィルタを備えているが、この吸気フィルタの構成が明示されておらず、埃、油煙等の濾過効果は限定的であり、例えば飲食店の厨房等、多くの油煙が存在する場所で使用される際に、前述した問題を解消することが難しい。
【０００７】
本発明は斯かる事情に鑑みてなされたものであり、外気中に含まれる埃、油煙等が筐体の内部に吸入されにくい加熱調理器を提供することを一つの目的とする。
【課題を解決するための手段】
【０００８】
本発明に係る加熱調理器は、筐体を備え、外気を通過させて該筐体の内部を冷却することが可能な加熱調理器において、前記外気が吸入される吸気口と、該吸気口を覆い、前記外気の通過方向に並設された複数のフィルタとを備えることを特徴とする。
【０００９】
本発明に係る加熱調理器は、前記複数のフィルタは網体であり、前記外気の通過方向の上流側に設けられたフィルタの網目は、下流側に設けられたフィルタの網目より粗いことを特徴とする。
【００１０】
本発明に係る加熱調理器は、前記フィルタの前記吸気口への装着を検知する検知部を備えることを特徴とする。
【００１１】
本発明に係る加熱調理器は、前記複数のフィルタのうち、少なくとも１つのフィルタの網目の形状は、他のフィルタの網目の形状と異なることを特徴とする。
【００１２】
本発明に係る加熱調理器は、筐体を備え、外気を通過させて該筐体の内部を冷却することが可能な加熱調理器において、前記外気が吸入される吸気口と、該吸気口を覆い、前記外気が通過するフィルタと、前記吸気口の内側に着脱可能に取り付けられる迷路型トラップとを備えることを特徴とする。
【００１３】
本発明に係る加熱調理器は、前記迷路型トラップは、少なくとも一側が開口とされたトレー状をなし、底板に迷路を形成する仕切り板が立設されていることを特徴とする。
【００１４】
本発明に係る加熱調理器は、前記迷路型トラップは、前記フィルタと一体化されていることを特徴とする。
【発明の効果】
【００１５】
本発明によれば、外気が吸入される吸気口に複数のフィルタを設けることにより、外気中に含まれる埃や油煙への濾過効果を向上させることができる。よって、外気中に含まれる埃、油煙等が筐体の内部に吸入されにくくなる。
【図面の簡単な説明】
【００１６】
【図１】実施の形態１に係る加熱調理器の外観を示す斜視図である。
【図２】実施の形態１に係る加熱調理器の内部構成を模式的に示す側断面図である。
【図３】図３は実施の形態１に係る加熱調理器のフィルタ部が取り外された場合の前面図である。
【図４】フィルタ部の構成を示す側面図である。
【図５】枠体の構造を説明する斜視図である。
【図６】３枚のフィルタの構造を説明する図である。
【図７】検知部の動作を説明する側面模式図である。
【図８】検知部の動作を説明する側面模式図である。
【図９】実施の形態２に係る加熱調理器のフィルタ部が取り外された場合の前面図である。
【図１０】実施の形態２に係る加熱調理器の内部構成を模式的に示す側断面図である。
【図１１】迷路型トラップの構造を示す模式図である。
【発明を実施するための形態】
【００１７】
以下、本発明を、その実施の形態を示す図面に基づいて詳述する。以下の説明では、図において矢符で示す上下、前後、及び左右を使用する。
【００１８】
（実施の形態１）
図１は実施の形態１に係る加熱調理器１の外観を示す斜視図である。図２は実施の形態１に係る加熱調理器１の内部構成を模式的に示す側断面図である。図３は実施の形態１に係る加熱調理器１のフィルタ部９が取り外された場合の前面図である。実施の形態１では、加熱調理器１は、マイクロ波により被加熱物を加熱する電子レンジである。
【００１９】
加熱調理器１は筐体２を備える。筐体２は、直方体形状をなす。筐体２の内部には、加熱庫２０と機器室１０とが設けられている。加熱庫２０は筐体２の前面に開口を有しており、この開口は扉３により開閉可能に覆われている。扉３は左辺に沿う枢軸周りに回転可能に支持されている。扉３の右側には、ハンドル４が設けられている。使用者はハンドル４を把持して扉３を開閉し、食品等を加熱庫２０に入れたり、取り出したりすることができる。筐体２の下面には、筐体２を支持する脚部２１が複数設けられている。
【００２０】
筐体２の前面には、扉３の上側に表示部６と、操作部７とが設けられている。表示部６は、例えば液晶パネルであり、調理コース、加熱時間、運転状態等の各種の情報を表示する。操作部７は、調理コースや加熱時間を設定するためのボタン群である。操作部７に対する操作に応じて、後述する機器室１０に設けられた機器が動作し、加熱庫２０内の食品等が加熱調理される。
【００２１】
筐体２の前面には、扉３の下側に吸気口８が設けられている。吸気口８は、図３に示すように筐体２の下部前面に開設された複数の矩形孔で構成されており、図２に示すように筐体２の下部の連通路１２を介して機器室１０に連通している。吸気口８の前面には、フィルタ部９が着脱自在に取付けられている。フィルタ部９の構成については後述する。
【００２２】
機器室１０には、マイクロ波を発振するマグネトロン１８と、該マグネトロン１８の駆動基板（図示せず）等の機器が設けられている。マグネトロン１８は、導波管１９により加熱庫２０に接続されており、マグネトロン１８が発振するマイクロ波は、導波管１９を介して加熱庫２０に導入され、該加熱庫２０内の食品等を照射する。
【００２３】
筐体２の後面には、排気口５が開設されており、該排気口５の内側には、冷却ファン１１が取り付けてある。冷却ファン１１は、加熱調理器１の運転中に連続的又は間欠的に駆動される。外気は、冷却ファン１１の駆動により、図２中の白抜き矢符により示すように、フィルタ部９を介して吸気口８から筐体２の内部へ吸入される。吸入された外気は、連通路１２を経て機器室１０内に入り、機器室１０内を通過して排気口５から筐体２の外部へ排出される。機器室１０内の機器は、以上の如く流れる外気と接触して冷却される。
【００２４】
実施の形態１では、吸気口８、冷却ファン１１、連通路１２、及び排気口５夫々の形状及び位置は図示の位置に限らず、吸入された外気を機器室１０の内部を通過させることができれば、必要に応じて設計されても良い。
【００２５】
以下、フィルタ部９の構成について詳しく説明する。
図４はフィルタ部９の構成を示す側面図である。フィルタ部９は、枠体９０と、枠体９０に保持される３枚のフィルタ９ａ、９ｂ、９ｃとを備える。３枚のフィルタ９ａ、９ｂ、９ｃは、図４中に白抜き矢符により示す外気の通過方向に並設されている。
【００２６】
図５は枠体９０の構造を説明する斜視図である。図６は３枚のフィルタ９ａ、９ｂ、９ｃの構造を説明する図である。図５に示すように、枠体９０は矩形板状の底板９１と、底板９１の一面の４つの隅部の夫々から垂直に立設された４つの柱部９２，９２，９２，９２とを備える。また、底板９１の一面には３つの凹溝９３ａ，９３ｂ，９３ｃが長手方向に延設されている。
【００２７】
図６に示すように、３枚のフィルタ９ａ、９ｂ、９ｃ夫々は金属製又は樹脂製の網体であり、矩形状をなし、同一の外形寸法を有する。３枚のフィルタ９ａ、９ｂ、９ｃ夫々は、長手方向の寸法が枠体９０の底板９１の長手方向の寸法とほぼ同じ、短手方向の寸法が、各柱体９２の上面から凹溝９３ａ、９３ｂ、９３ｃの底面までの距離とほぼ同じである。厚さが凹溝９３ａの幅と同じフィルタ９ａを凹溝９３ａ、厚さが凹溝９３ｂの幅と同じフィルタ９ｂを凹溝９３ｂ、厚さが凹溝９３ｃの幅と同じフィルタ９ｃを凹溝９３ｃに嵌め込むことにより、各フィルタ９ａ、９ｂ、９ｃが枠体９０に保持され、フィルタ部９は構成される。フィルタ部９は、左右寸法及び上下寸法夫々が吸気口８よりやや大きく、吸気口８全体を覆うことが可能な長方体形状を有する。
【００２８】
３枚のフィルタ９ａ、９ｂ、９ｃは、網目が夫々に異なるように構成されている。具体的には、フィルタ９ａの網目が菱形であり、フィルタ９ｂの網目が縦長の長方形であり、フィルタ９ｃの網目が横長の長方形である。これにより、複雑な網目構造を形成し、埃、油煙等に対する濾過効果を発揮し得る。なお、３枚のフィルタ９ａ、９ｂ、９ｃの網目の形状はこれらに限らず、必要に応じて任意に設定すればよい。また、３枚のフィルタ９ａ、９ｂ、９ｃの網目形状は、同じであってもよい。
【００２９】
また、３枚のフィルタ９ａ、９ｂ、９ｃは、網目が順次に細かくなるように構成されている。即ち、フィルタ９ａの網目はフィルタ９ｂの網目より粗く、フィルタ９ｂの網目はフィルタ９ｃの網目より粗い。このように細かい網目を有するフィルタ、即ち濾過能力が高いフィルタを下流側に設けることで、各フィルタの濾過能力を十分に発揮するとともに、外気吸入への阻害を最小限にさせることができる。
【００３０】
このように構成されたフィルタ部９は、吸気口８を覆うように位置合わせし、例えば、筐体２にネジ止めすることにより取付けられる。なお、フィルタ部９を構成するフィルタの枚数は３に限らず、必要に応じて任意に設定すればよい。また、フィルタ９ａ、９ｂ、９ｃは図に示す網体に限らず、気体用濾布又は濾紙で構成されてもよい。さらに、フィルタ部９の枠体９０は図示の形状に限らず、必要に応じて任意に設定すればよく、省略してもよい。枠体９０を省略した場合、各フィルタ９ａ、９ｂ、９ｃの左右両辺に設けられた貫通孔を利用して、各フィルタ９ａ、９ｂ、９ｃ左右両辺を重ねて吸気口８に対して位置合わせし、夫々の縁部を筐体２に直接ネジ止めすればよい。
【００３１】
実施の形態１では、フィルタ部９は、３枚のフィルタ９ａ、９ｂ、９ｃを有し、夫々の網目は、形状及び大きさを異ならせた複雑な網目構造を有するため、埃、油煙等に対する高い濾過効果を発揮し得る。よって、外気中に含まれる埃、油煙等は吸気口から筐体２の内部へ吸入されにくく、機器室１０内の機器への付着に起因する不具合を未然に防止できる。
【００３２】
実施の形態１の加熱調理器１には、さらに、フィルタ部９の装着を検知する検知部１５が設けられている。図７及び図８は、検知部１５の動作を説明する側面模式図である。検知部１５は、マイクロスイッチであり、吸気口８の内側に設けられたスイッチ本体１５１及びスイッチレバー１５２を備える。スイッチレバー１５２の一端はスイッチ本体１５１に連結され、他端はスイッチ本体１５１から離れて吸気口８側に向かって延びている。スイッチレバー１５２の他端は、外力の作用によりスイッチ本体１５１へ接近することができる。検知部１５は、スイッチレバー１５２の他端がスイッチ本体１５１に接触することに伴ってオン状態となる。
【００３３】
スイッチレバー１５２の他端には、突起１５３が形成されており、該突起１５３は、筐体２に設けた孔から外部に突出させてある。突起１５３の突出位置は、フィルタ部９が装着された場合に柱部９２に接触する箇所に設定してある。図８に示すように、フィルタ部９が吸気口８に装着された際には、突起１５３が柱部９２に当接し、スイッチレバー１５２の他端が柱部９２の押圧力によりスイッチ本体１５１側へ移動し、検知部１５をオン状態にさせる。
【００３４】
なお、検知部１５は加熱調理器１の制御装置（未図示）に接続されている。制御装置は、スイッチ本体１５１のオン状態又はオフ状態に応じて、表示部６にフィルタ部９の装着又は未装着を示す情報を表示させる。なお、検知部１５はマイクロスイッチに限らず、センサであってもよい。
【００３５】
（実施の形態２）
図９は実施の形態２に係る加熱調理器１００のフィルタ部２９が取り外された場合の前面図である。図１０は実施の形態２に係る加熱調理器１００の内部構成を模式的に示す側断面図である。以下、特に説明する構成、作用以外の構成及び作用は実施の形態１と同等であり、簡潔のため記載を省略する。
【００３６】
実施の形態２では、吸気口８０は、筐体２の前面において、扉３よりも下方のほぼ全域にわたって開設されている。吸気口８０は、前面視が矩形である。吸気口８０の内側に連続する連通路１２は、ほぼ長方体状の空間であり、連通路１２内に、後述する迷路型トラップ１６（図１１参照）が着脱可能に取り付けられている。
【００３７】
図１１は迷路型トラップ１６の構造を示す模式図である。迷路型トラップ１６は、矩形の底板１６１と、底板１６１の３辺から夫々垂直に立ち上がる側板１６２ａ，１６２ｂ，１６２ｃと、底板１６１に立設された３枚の仕切り板１６３ａ，１６３ｂ，１６３ｃとを備える。迷路型トラップ１６は、側板１６２ａ，１６２ｂ，１６２ｃが設けられていない一側が開口とされた矩形のトレー状をなす。
【００３８】
側板１６２ａ，１６２ｂ，１６２ｃの夫々は、吸気口８０とほぼ等しい上下寸法を有する。３枚の仕切り板１６３ａ，１６３ｂ，１６３ｃ夫々は短冊状をなし、長手方向が底板１６１の側板１６２ｃにほぼ平行となり、短手方向が底板１６１に垂直となるように設けられている。また、３枚の仕切り板１６３ａ，１６３ｂ，１６３ｃ夫々は同一の寸法を有し、長手方向の寸法が側板１６２ｃの左右寸法より小さく、短手方向の寸法が側板１６２ａ，１６２ｂ，１６２ｃの上下寸法とほぼ同じである。仕切り板１６３ａ及び１６３ｃ夫々の一端が側板１６２ａに連続されており、仕切り板１６３ｂの一端が側板１６２ｂに連続されている。このように、切り板１６３ａ，１６３ｂ，１６３ｃは底板１６１と底板１６２ａ、１６２ｂ、１６２ｃとが囲む領域で迷路を形成する。
【００３９】
このように構成された迷路型トラップ１６は、開口を吸気口８０側に向けて取り付けてあり、連通路１２の空間を、連続した複数の通路に区画する。吸気口８０から吸入された外気は、迷路型トラップ１６により形成される迷路に沿って流れ、機器室１０に到達する。これにより、外気中に含まれる埃、油煙等は迷路を構成する仕切り板１６３ａ，１６３ｂ，１６３ｃに付着して、機器室１０に到達するまでに埃、油煙等の含有量が減る。また、このように構成された迷路型トラップ１６は、フィルタ部２９を取り外した後に吸気口８０から引き出せる構造を持たせることで、容易に取り外せるため、埃、油煙等が付着した仕切り板１６３ａ、１６３ｂ、１６３ｃの清掃が簡単になり、メンテナンスが容易となる。
【００４０】
（実施の形態３）
実施の形態３に係る加熱調理器では、実施の形態２における仕切り板１６３ａ，１６３ｂ，１６３ｃに埃、油煙等の吸着機能を有する吸着材（例えば、スポンジ）が取り付けられており、他の構成が実施の形態２に係る加熱調理器１００と同様であるため、その説明を省略する。この場合、清掃時に吸着材を交換すれば、メンテナンスが一層容易となる。
【００４１】
実施の形態２、３では、底板１６１、側板１６２ａ，１６２ｂ，１６２ｃ、仕切り板１６３ａ，１６３ｂ，１６３ｃは、一体化されてもよいし、個別に形成されてもよい。フィルタ部２９は迷路型トラップ１６の開口部を覆うように一体に取り付けてもよい。これにより、迷路型トラップ１６及びフィルタ部２９の脱着がより簡単になる。
【００４２】
また、迷路型トラップ１６の形状はトレー状に限らず、連通路１２への装着により吸気口８０と機器室１０との間に迷路を形成し得る適宜の形状とすることができる。側板１６２ａ，１６２ｂ，１６２ｃの一部又は全部は、必要に応じて省略してもよい。また、仕切り板の数、形状及び位置も特に限定されておらず、連続通路が形成されればよい。
【００４３】
また、実施の形態２、３のフィルタ部２９は、実施の形態１のフィルタ部９と同様に複数枚のフィルタを含む構造であってもよいし、１枚のフィルタを含む構造であってもよい。
【００４４】
以上の実施の形態１〜３では、加熱調理器は電子レンジとして例示されているが、グリル、オーブン等であってもよい。また、フィルタ部９、２９及び迷路型トラップ１６は、筐体２の内部の冷却に用いられているが、筐体２の内部の換気等に用いられてもよい。
【００４５】
本発明に係る加熱調理器（１）は、筐体（２）を備え、外気を通過させて該筐体（２）の内部を冷却することが可能な加熱調理器（１）において、前記外気が吸入される吸気口（８）と、該吸気口（８）を覆い、前記外気の通過方向に並設された複数のフィルタ（９ａ、９ｂ、９ｃ）とを備えることを特徴とする。
【００４６】
本発明において、外気が吸入される吸気口に複数のフィルタを設けることにより、外気中に含まれる埃や油煙への濾過効果を向上させることができる。よって、外気中に含まれる埃、油煙等が筐体の内部に吸入されにくくなる。
【００４７】
本発明に係る加熱調理器は、前記複数のフィルタ（９ａ、９ｂ、９ｃ）は網体であり、前記外気の通過方向の上流側に設けられたフィルタの網目は、下流側に設けられたフィルタの網目より粗いことを特徴とする。
【００４８】
本発明において、網目が粗いフィルタ、即ち濾過能力が低いフィルタを上流側に設け、網目が細かいフィルタ、即ち濾過能力が高いフィルタを下流側に設けることにより、各フィルタの濾過能力を十分に発揮するとともに、外気吸入への阻害を最小限にさせることができる。よって、外気中に含まれる埃や油煙への濾過効率を向上させることができる。
【００４９】
本発明に係る加熱調理器は、前記フィルタ（９ａ、９ｂ、９ｃ）の前記吸気口（８）への装着を検知する検知部（１５）を備えることを特徴とする。
【００５０】
本発明において、フィルタの装着を検知する検知部を設けることにより、フィルタの装着を判断することができる。フィルタが装着されていない状態で加熱調理器１を使用する場合に、その旨を報知することができ、フィルタが装着されていない状態での誤使用を避けることができる。
【００５１】
本発明に係る加熱調理器（１）は、前記複数のフィルタ（９ａ、９ｂ、９ｃ）のうち、少なくとも１つのフィルタの網目の形状は、他のフィルタの網目の形状と異なることを特徴とする。
【００５２】
本発明において、網目の形状が異なる複数のフィルタを設けることにより、複雑な網目構造を形成し、埃、油煙等に対する良好な濾過効果を発揮し得る。外気中に含まれる埃、油煙等を効率的に除去することができる。よって、外気中に含まれる埃や油煙への濾過効果を一層向上させることができる。
【００５３】
本発明に係る加熱調理器（１００）は、筐体（２）を備え、外気を通過させて該筐体（２）の内部を冷却することが可能な加熱調理器（１００）において、前記外気が吸入される吸気口（８０）と、該吸気口（８０）を覆い、前記外気が通過するフィルタ（２９）と、前記吸気口（８０）の内側に着脱可能に取り付けられる迷路型トラップ（１６）とを備えることを特徴とする。
【００５４】
本発明において、吸気口をフィルタで覆うとともに吸気口の内側に迷路型トラップを設けることにより、吸気口から機器室までの外気の通路を長く形成することができる。よって、外気中に含まれる埃、油煙等はフィルタに捕捉されるとともに、迷路型トラップが形成する通路の壁に付着して、機器室に到達する外気中の埃、油煙等の含有量が減る。また、迷路型トラップは、着脱可能に取り付けてあり、取り外して清掃を行うことができる。よって、埃、油煙等が付着した迷路型トラップの清掃が簡単になり、メンテナンスが容易となる。
【００５５】
本発明に係る加熱調理器（１００）は、前記迷路型トラップ（１６）は、少なくとも一側が開口とされたトレー状をなし、底板（１６１）に迷路を形成する仕切り板（１６３ａ、１６３ｂ、１６３ｃ）が立設されていることを特徴とする。
【００５６】
本発明において、迷路型トラップを一側が開口とされたトレー状に形成し、その底板に迷路を形成する仕切り板を立設することにより、簡単な構造で清掃及びメンテナンスを容易にさせることができる。
【００５７】
本発明に係る加熱調理器（１００）は、前記迷路型トラップ（１６）は、前記フィルタ（２９）と一体化されていることを特徴とする。
【００５８】
本発明において、迷路型トラップをフィルタと一体化させることにより、迷路型トラップ及びフィルタを簡単に取り付けることができる。よって、清掃及びメンテナンスが便利となる。
【００５９】
本発明に係る加熱調理器（１００）は、前記フィルタ（２９）は前記外気の通過方向に複数並設されており、前記複数のフィルタは網体であり、前記外気の通過方向の上流側に設けられたフィルタの網目は、下流側に設けられたフィルタの網目より粗いことを特徴とする。
【００６０】
本発明において、外気が吸入される吸気口に複数のフィルタを設けることにより、外気中に含まれる埃や油煙への濾過効果を向上させるとともに、迷路型トラップとの相乗効果を奏することができる。よって、外気中に含まれる埃、油煙等が筐体の内部に吸入されにくくなる。また、濾過能力が低いフィルタを上流側に設け、濾過能力が高いフィルタを下流側に設けることにより、外気中に含まれる埃や油煙への濾過効率を向上させることができる。
【００６１】
今回開示された実施の形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。
【符号の説明】
【００６２】
１，１００  加熱調理器
１０  機器室
１１  冷却ファン
１２  連通路
１５  検知部
１６  迷路型トラップ
２  筐体
３  扉
８，８０  吸気口
９，２９  フィルタ部
【図１】
2017207260.tif 000003
【図２】
2017207260.tif 000004
【図３】
2017207260.tif 000005
【図４】
2017207260.tif 000006
【図５】
2017207260.tif 000007
【図６】
2017207260.tif 000008
【図７】
2017207260.tif 000009
【図８】
2017207260.tif 000010
【図９】
2017207260.tif 000011
【図１０】
2017207260.tif 000012
【図１１】
2017207260.tif 000013